(57)【要約】      （修正有）【課題】噛合部が折れて壊れることがなく、より薄く生産コストを節約することができる緩み止め及び盗難防止用ガスケットを提供する。【解決手段】緩み止め及び盗難防止用ガスケットは、一体成形のシールであり、内環部１０及び内環部の外周縁に環状に配列形成される複数の噛合部１１を備え、内環部の中心に中心穴が形成され、隣り合う２つの噛合部の間に外周縁から内環部へ入り込む径方向の間隔溝１２が凹設され、各噛合部は、楔形を呈し、高い側に係合端部１１１が設けられると共に、低い側に側端部１１２が設けられ、係合端部の外側縁に折り曲げられた歯部１１３が設けられ、隣り合う２つの噛合部のうち、一方の噛合部の係合端部の歯部は、他方の噛合部の側端部と対向するように配列され、噛合部の係合端部と側端部との間の外周縁に凹部１１４が形成される。【選択図】図１
0003204783.tif 000002
【実用新案登録請求の範囲】
【請求項１】
一体成形のシールであり、
内環部及び該内環部の外周縁に環状に配列するように形成される複数の噛合部を備え、
内環部の中心に中心穴が形成され、
隣り合う２つの噛合部の間に外周縁から内環部へ入り込む径方向の間隔溝が凹設され、
該各噛合部は、楔形を呈し、高い側に係合端部が設けられると共に、低い側に側端部が設けられ、該係合端部の外側縁に折り曲げられた歯部が設けられ、
隣り合う２つの噛合部のうちに、一方の噛合部の係合端部の歯部は、他方の噛合部の側端部と対向するように配列され、
該噛合部の係合端部と側端部との間の外周縁に凹部が形成されることを特徴とする、
緩み止め及び盗難防止用ガスケット。
【請求項２】
６個の噛合部を備えることを特徴とする請求項１に記載の緩み止め及び盗難防止用ガスケット。
【請求項３】
１２個の噛合部を備えることを特徴とする請求項１に記載の緩み止め及び盗難防止用ガスケット。
【考案の詳細な説明】
【技術分野】
【０００１】
本考案は、緩み止め及び盗難防止用のガスケットに関するものである。
【背景技術】
【０００２】
従来、ボルトやナットにより締め付けると、緩め難く、盗難防止の効果を有する緩み止め・盗難防止のボルト・ナットが開発された。
既存の緩み止め・盗難防止のボルト・ナットを使用する時は、そのボルトがナットを貫通するように螺合するだけでなく、ボルトに環装されるガスケットとボルトのヘッドとの間またはガスケットとナットとの間に複数の楔形斜面が形成され、それらの楔形斜面によってボルトとガスケットまたはナットとガスケットを係合すると共に、ガスケットの被固定物に面する側面にも複数の楔形斜面が形成され、それらの楔形斜面によって被固定物を締め付けることができ、これによって、ボルト及びナットが緩み止めや、盗難防止の効果を提供することができる。
【考案の概要】
【考案が解決しようとする課題】
【０００３】
しかしながら、既存の緩み止め・盗難防止用ボルト・ナットは、ガスケットとボルトまたはナットとの間に複数の鋭い楔形斜面が形成され、それらの楔形斜面によってガスケットとボルトまたはナットを係合することができるが、そのボルト及びナットを締め付ける時、或いは、専用工具を用いてボルトまたはナットを取り外す時、ガスケットが大きな力を受けると共に、それらの楔形斜面がガスケットの外周縁に一体に連接するため、応力が耐え切れず破損する恐れがある。
この問題を解決するために、通常はガスケットを厚くてして応力を高める方法が取られることから、材料をより多く使用することになり、生産コストが高くなる。
【課題を解決するための手段】
【０００４】
本考案に係る緩み止め及び盗難防止用ガスケットは、一体成形のシールであり、内環部及び該内環部の外周縁に環状に配列するように形成される複数の噛合部を備え、そのうち、内環部の中心に中心穴が形成され、隣り合う２つの噛合部の間に外周縁から内環部へ入り込む径方向の間隔溝が凹設され、該各噛合部は楔形を呈し、高い側に係合端部が設けられると共に、低い側に側端部が設けられ、該係合端部の外側縁に折り曲げられた歯部が設けられ、隣り合う２つの噛合部のうちに、一方の噛合部の係合端部の歯部は、他方の噛合部の側端部と対向するように配列され、該噛合部の係合端部と側端部との間の外周縁に凹部が形成されるものである。
【０００５】
かかる緩み止め及び盗難防止用ガスケットにおいて、６個の噛合部を備えることが好ましい。
【０００６】
かかる緩み止め及び盗難防止用ガスケットにおいて、１２個の噛合部を備えることが好ましい。
【考案の効果】
【０００７】
本考案に係る緩み止め及び盗難防止用ガスケットは、隣り合う２つの噛合部の間に間隔溝が設置されることから、それらの噛合部がそれぞれ独立して弾性変形可能であるので、緩み止め・盗難防止のガスケットがボルトまたはナットに結合して被固定物を締め付けると、それらの噛合部がそれぞれ弾性変形することによって、その取り付け時や取り外し時に発生する力を吸収して緩和する。また、それらの噛合部はそれぞれ、隣の噛合部と連動しないように独立して弾性変形するので、噛合部が折れて壊れることはない。また、その緩め止み及び盗難防止用ガスケットは、より薄くなって生産コストを節約することができる。
【０００８】
さらに、本考案に係る緩み止め及び盗難防止用ガスケットは、楔形の噛合部を有すると共に、該各噛合部の高い側の係合端部の外側縁に歯部が折り曲げられるように設けられることから、その緩み止め及び盗難防止用ガスケットをボルト、ナットに組み合わせて被固定物を締め付けると、一方の緩み止め及び盗難防止用ガスケットがボルトのヘッドと被固定物との間、及び他方の緩み止め及び盗難防止用ガスケットがナットと被固定物との間に挟設され、その締め付け力が緩み止め及び盗難防止用ガスケットの噛合部を押圧し、その弾性変形による付勢力により、噛合部における、係合端部がボルトのヘッドの斜面またはナットの斜面に嵌め込まれると共に歯部が被固定物の表面に噛み込まれる。
この構造によれば、ボルト及びナットが逆回転しないので、緩み止めの効果が発揮できる。
【図面の簡単な説明】
【０００９】
【図１】本考案に係る第一実施例の斜視図である。
【図２】本考案に係る第一実施例の他の斜視図である。
【図３】本考案に係る側面図である。
【図４】本考案に係る第二実施例の斜視図である。
【図５】本考案に係る第二実施例の他の斜視図である。
【図６】本考案に係る第二実施例の側面図でる。
【図７】本考案に係る第一実施例及びボルトの分解斜視図である。
【図８】本考案に係る第一実施例及びナットの分解斜視図である。
【図９】本考案に係る第一実施例の緩み止め及び盗難防止用ガスケット、ボルト、ナットを用いて被固定物を締め付ける状態の側面透視図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１、図２、図４、図５に示す、本考案に係る緩み止め及び盗難防止用ガスケットの複数の実施例に示すように、その緩み止め及び盗難防止用ガスケット１Ａ、１Ｂは、一体成形のシールであり、内環部１０及び複数の噛合部１１を備える。それらの噛合部１１はそれぞれ、環状に配列するように内環部１０の外周縁に形成され、そのうち、隣り合う２つの噛合部１１の間に、外周縁から内環部１０へ入り込む径方向の間隔溝１２が凹設され、該各噛合部１１における、内環部１０と反対する端が自由端となり、また、前記内環部１０の中心に中心穴１０１が形成される。尚、前記噛合部１１の数量は、製品の噛合力及び寸法に応じて、適当に設置すればよい。
図１及び図２に示すものは、緩み止め及び盗難防止用ガスケット１Ａの第一実施例であり、６つの噛合部１１を備え、図４及び図５に示すものは、緩み止め及び盗難防止用ガスケット１Ｂの第二実施例であり、１２の噛合部１１を備える。
【００１２】
図１乃至図３または図４乃至図６に示すように、緩み止め及び盗難防止用ガスケット１Ａ、１Ｂは、中心穴１０１の中心を通過する中心線Ｃ及び該中心線Ｃと垂直する平面線Ｓを有する。
前記各噛合部１１は、平面線Ｓとの間に鋭角の傾斜角度を有し、一側が低くて他側が高くなる楔形を呈し、そのうち、高い側に係合端部１１１が設けられると共に、低い側に側端部１１２が設けられ、該係合端部１１１の外側縁に歯部１１３が折り曲げられるように設けられる。
また、隣り合う２つの噛合部１１のうちに、一方の噛合部１１の係合端部１１１の歯部１１３が、間隔溝１２の間隔があいて他方の噛合部１１の側端部１１２と対向するように配列される。尚、本実施例においては、噛合部１１における係合端部１１１と側端部１１２との間の外周縁に凹部１１４が形成されるので、専用工具を利用すれば、取り外したり、調整したりすることができる。
【００１３】
図７乃至図９に示すように、本考案を使用する時は、一方の緩み止め及び盗難防止用ガスケット１Ａをボルト２０に組み合わせると共に、他方の緩み止め及び盗難防止用ガスケット１Ａをナット３０に組み合わせれば、ボルト２０及びナット３０を螺合することによって、被固定物４Ａ、４Ｂを締め付けることができる。
また、図９に示すように、組立て時に、ボルト２０のねじ部２２が一方の緩み止め及び盗難防止用ガスケット１Ａ、被固定物４Ａ、４Ｂを通過してナット３０、及び他方の緩み止め及び盗難防止用ガスケット１Ａに結合して被固定物４Ａ、４Ｂを締め付ける。
【００１４】
この時、一方の緩み止め及び盗難防止用ガスケット１Ａは、ボルト２０のヘッド２１と被固定物４Ａとの間に挟設されると共に、他方の緩み止め及び盗難防止用ガスケット１Ａは、ナット３０と被固定物４Ｂとの間に挟設され、該一方の緩み止め及び盗難防止用ガスケット１Ａは、各噛合部１１によるボルト２０に組み合いながら、被固定物４Ａに噛み込まれる。すなわち、該緩み止め及び盗難防止用ガスケット１Ａの各噛合部１１は、係合端部１１１を介してボルト２０のヘッド２１の斜面２３に嵌合されながら歯部１１３を介して被固定物４Ａの表面に噛み込まれる。
また、前記他方の緩み止め及び盗難防止用ガスケット１Ａは、噛合部１１によるナット３０に組み合いながら被固定物４Ｂに噛み込まれる。すなわち、該緩み止め及び盗難防止用ガスケット１Ａの各係合端部１１１を介してナット３０の斜面３２に嵌合されながら歯部１１３を介して被固定物４Ｂの表面に噛み込まれるので、この構造によれば、被固定物４Ａ及び４Ｂを確実に固定することができる。
尚、この構造の場合、ボルト２０、ナット３０、緩み止め及び盗難防止用ガスケット１Ａを取り外す時、専用工具を使用する必要がある。
【００１５】
本考案に係る緩み止め及び盗難防止用ガスケット１Ａにおいては、隣り合う２つの噛合部１１の間に間隔溝１２が形成されることから、噛合部１１が弾性変形可能であり、緩み止め及び盗難防止用ガスケット１Ａがボルト２０またはナット３０に結合して被固定物４Ａ、４Ｂを締め付けると、それらの噛合部１１がそれぞれ弾性変形することによって、取り付け時または取り外し時からの力を吸収して緩和することができるので、外力で緩み止め及び盗難防止用ガスケット１Ａが破損することはない。
【００１６】
さらに、本考案に係る緩み止め及び盗難防止用ガスケット１Ａは、楔形の噛合部１１を有すると共に、該各噛合部１１の高い側の係合端部１１１の外側縁に歯部１１３が折り曲げられるように設けられることから、緩み止め及び盗難防止用ガスケット１Ａがボルト２０、ナット３０に組み合わされて被固定物４Ａ、４Ｂを締め付けた後、一方の緩み止め及び盗難防止用ガスケット１Ａがボルト２０のヘッド２１と被固定物４Ａとの間、他方の緩み止め及び盗難防止用ガスケット１Ａがナット３０と４Ｂとの間に挟設され、その締め付け力が緩み止め及び盗難防止用ガスケット１Ａの噛合部１１を押圧して弾性変形による付勢力を蓄える。このため、噛合部１１における、係合端部１１１がボルト２０のヘッド２１の斜面２３またはナット３０の斜面３２に嵌め込まれると共に、歯部１１３が被固定物４Ａまたは被固定物４Ｂの表面に噛み込まれる。この構成によれば、ボルト２０及びナット３０が逆回転しないので、優れた緩み止めの効果を有する。
【符号の説明】
【００１７】
１Ａ、１Ｂ  緩め止め及び盗難防止用ガスケット
Ｃ  中心線
Ｓ  平面線
１０  内環部
１０１  中心穴
１１  噛合部
１１１  係合端部
１１２  側端部
１１３  歯部
１１４  凹部
１２  間隔溝
２０  ボルト
２１  ヘッド
２２  螺柱
２３  斜面
３０  ナット
３２  斜面
４Ａ、４Ｂ  被固定物
【図１】
0003204783.tif 000003
【図２】
0003204783.tif 000004
【図３】
0003204783.tif 000005
【図４】
0003204783.tif 000006
【図５】
0003204783.tif 000007
【図６】
0003204783.tif 000008
【図７】
0003204783.tif 000009
【図８】
0003204783.tif 000010
【図９】
0003204783.tif 000011